(57)【要約】【課題】制御したい被制御対象を確実に制御し、しかも構成を簡単で安価にする。【解決手段】赤外線発振器３２とスポットライト発光器３３を設け、操作部３１を操作することで制御部３４によって赤外線発振器３２を動作させ、筐体の先端部から照明器具に対してリモート制御するための赤外線の指示信号を送信する。また、操作部３１を操作することで点灯回路３５によってスポットライト発光器３３を動作させ、筐体の先端部から可視光のスポットライトを放出する。赤外線の送信方向とスポットライトの放出方向は一致しており、しかも、リモート制御するための指示信号の制御範囲とスポットライトの照明範囲が略等しくなるように設定されている。【選択図】    図３
2004193971.tif 000002
【特許請求の範囲】
【請求項１】
被制御対象をリモート制御するリモートコントローラにおいて、
被制御対象を可視光で照明するとともにリモート制御を赤外線で行うことを特徴とするリモートコントローラ。
【請求項２】
赤外線によるリモート制御範囲と可視光の照明範囲を略等しくしたことを特徴とする請求項１記載のリモートコントローラ。
【請求項３】
受信部を有する照明器具と、請求項１又は２記載のリモートコントローラとを具備することを特徴とする照明装置。
【請求項４】
赤外線出力手段、可視光出力手段及びこれらを制御する制御部を設けたリモートコントローラと、このリモートコントローラからの赤外線を受信する受信部及びこの受信部の赤外線受信によってランプを点灯、消灯、調光制御する照明制御部を設けた照明器具とを具備することを特徴とする照明装置。
【発明の詳細な説明】
【０００１】
【発明の属する技術分野】本発明は、例えば、照明器具をリモート制御することや空調装置をリモート制御することなど、被制御対象をリモート制御するリモートコントローラ等に関する。
【０００２】
【従来の技術】従来、照明器具を点灯、消灯、調光制御するのにリモートコントローラを使用するものが知られている。従来のリモートコントローラは、先端部から、例えば、赤外線を放射させ、その赤外線を照明器具の受光部に当ててその照明器具を点灯、消灯、調光制御するものであった。
【０００３】
また、照明器具に設けた受光器を光点検出器とその周囲に放射状に配置した光量検出器とで構成し、リモートコントローラからの光ビームを光量検出器が検出するとその光ビームの方向に照明器具と光点検出器を向かせることで確実な方向制御を行うものが知られている（例えば、特許文献１参照）。
【０００４】
【特許文献１】特開平６−３１４５０７号公報（段落「００１５」〜「００１８」、図１）
【０００５】
【発明が解決しようとする課題】しかしながら、赤外線を放射するリモートコントローラの場合は赤外線が見えないので、操作者は検討を付けて制御する照明器具にリモートコントローラの先端を向けることになるが、室内の天井に照明器具が多数並べて配置しているような場所では、赤外線が誤って制御対象でない隣の照明器具の受光部にも当たって誤った制御を行ってしまうという問題があった。
【０００６】
また、照明器具に設けた受光器を光点検出器とその周囲に放射状に配置した光量検出器とで構成するものは、装置が大掛かりとなり、コスト的にも高くなり、簡易なリモートコントローラを実現することが困難であった。
そこで、本発明は、制御したい被制御対象を確実に制御でき、しかも構成が簡単で安価なリモートコントローラを提供する。
【０００７】
また、本発明は、照明器具をリモートコントローラによって確実にリモート制御することができる照明装置を提供する。
【０００８】
【課題を解決するための手段】本発明は、被制御対象をリモート制御するリモートコントローラにおいて、被制御対象を可視光で照明するとともにリモート制御を赤外線で行うリモートコントローラにある。
また、本発明は、さらに、赤外線によるリモート制御範囲と可視光の照明範囲を略等しくしたリモートコントローラにある。
また、本発明は、受信部を有する照明器具と、請求項１又は２記載のリモートコントローラとを具備する照明装置にある。
また、本発明は、赤外線出力手段、可視光出力手段及びこれらを制御する制御部を設けたリモートコントローラと、このリモートコントローラからの赤外線を受信する受信部及びこの受信部の赤外線受信によってランプを点灯、消灯、調光制御する照明制御部を設けた照明器具とを具備する照明装置にある。
【０００９】
【発明の実施の形態】以下、本発明の一実施の形態を、図面を参照して説明する。なお、この実施の形態は被制御対象として照明器具を使用した場合について述べる。
図１に示すように、室内の天井１に複数の照明器具２が並べて配置されている。この各照明器具２を床上にいる操作者が所持しているリモートコントローラ３によって、点灯／消灯／調光の各制御を行うようになっている。
【００１０】
前記各照明器具２には、図２に示すように、赤外線の受信部２１、送信部２２、蛍光ランプの照明を点灯／消灯／調光制御する照明制御部２３が備えられている。
前記リモートコントローラ３は、図３に示すように、操作部３１と、赤外線出力手段としての赤外線発振器３２と、可視光出力手段としての可視光のスポットライトを発光するスポットライト発光器３３と、制御部としての、前記操作部３１の操作によって前記赤外線発振器３２を発振制御する制御部３４及び前記操作部３１の操作によって前記スポットライト発光器３３を点灯制御する点灯回路３５とで構成されている。
【００１１】
前記リモートコントローラ３は、操作部３１を操作することで前記制御部３４により赤外線発振器３２を動作させ、筐体の先端部から前記照明器具２に対して点灯／消灯／調光をリモート制御するための指向性を持った赤外線の指示信号を送信するとともに、操作部３１を操作することで前記点灯回路３５によりスポットライト発光器３３を動作させ、筐体の先端部から可視光のスポットライトを放出するようになっている。前記赤外線の送信方向とスポットライトの放出方向は一致しており、しかも、リモート制御するための指示信号の制御範囲とスポットライトの照明範囲が略等しくなるように設定されている。
【００１２】
このような構成においては、天井にある１つの照明器具２を点灯、消灯、あるいは調光する場合、リモートコントローラ３の先端を該当する照明器具２に向けて操作部３１を操作し、先ず、点灯回路３５を動作させ、スポットライト発光器３３からスポットライトを放出させる。そして、スポットライトが該当する照明器具２のみに照射されるようにリモートコントローラ３の向きを定める。
【００１３】
この状態で操作部３１を操作して、例えば、赤外線発振器３２から照明器具２を点灯させる指示信号を送信する。該当する照明器具２ではリモートコントローラ３からの指示信号を受信部２１で受信し、照明制御部２３に指示信号を供給するとともに送信部２２に受信確認指示を供給する。照明制御部２３は指示信号に基づいて蛍光ランプを点灯させる。
【００１４】
このように、リモート制御に使用する赤外線の指示信号は見えないが、指示信号の送信方向は可視光のスポットライトで目視できるので、指示信号を確実に該当する照明器具２に当てることができる。従って、該当する照明器具２を確実に点灯させることができる。
【００１５】
また、リモート制御に使用する赤外線の指示信号の制御範囲とスポットライトの照明範囲を略等しくしているので、スポットライトによって指示信号の制御範囲を容易に確認することができ、従って、指示信号を確実に該当する照明器具２のみに当てることができる。すなわち、該当する照明器具２のみをより確実にリモート制御することができる。
【００１６】
また、送信部２２は受信部２１から受信確認指示を受けると、リモートコントローラ３に対して受信確認信号を送信する。リモートコントローラ３では受信部（図示せず）で受信確認信号を受信すると、例えば、発光ダイオード等を点灯させて操作者に知らせる。なお、受信確認信号に照明器具２の現在の調光状態を知らせる情報を付加させ、リモートコントローラ３にディスプレイを設けて受信した調光状態を表示させるようにしても良い。
また、リモート制御を赤外線の指示信号を使用して行っているので、太陽光等が照射している環境のもとでもより確実に照明器具２をリモート制御することができる。また、赤外線発振器３２とスポットライト発光器３３とを併設しているのみなので、構成は簡単であり、しかも、安価に構成することができる。
【００１７】
なお、この実施の形態では、リモートコントローラ３としてリモート制御を赤外線で行い、その方向確認を可視光のスポットライトで行うようにしたがこれに限定するものではなく、可視光のスポットライトでリモート制御も行うようにしても良い。この場合はスポットライトに指示信号を乗せて送信することになる。
【００１８】
そして、可視光のスポットライトでリモート制御を行う場合においては、照明器具の受信部はスポットライトを受光することになるが、太陽光などの周囲の影響を受け易くなる。そこで、受信部として、周囲のエネルギー量を常時または間欠的に計測し、この測定値に対して急激なエネルギーの増加があった時にスポットライトの受光として検出するようにすれば、周囲の影響を受けて誤動作するのを防止することができる。
【００１９】
また、この場合の、スポットライトの受光面の面積としては、３ｍ２以上あることがスポットライトを受光面に当てる操作性や確実性から見て望ましい。また、スポットライトを単に可視光としたが、可視光のうちでも赤色や黄色などの特定波長の可視光を使用すれば、照明器具の受信部としても特定波長の可視光を受信するものを使用することになり、太陽光などの周囲の影響を受けにくくすることができる。
【００２０】
また、この実施の形態では、照明器具に受信部を設け、リモートコントローラで照明器具を直接リモート制御するようにしたがこれに限定するものではなく、例えば、照明器具を点灯、消灯あるいは調光制御する壁や天井などに埋め込まれている制御部に受信部を設け、リモートコントローラでこの受信部をリモート制御するようにしてもよい。
なお、この実施の形態は、照明器具を点灯、消灯、あるいは調光制御する場合のリモート制御について述べたが、このリモートコントローラを使用して照明器具のアドレスを設定することもできる。すなわち、照明器具が多数配置されている場所では各照明器具にアドレスを付し、アドレス制御することによって任意の照明器具を点灯、消灯、あるいは調光制御できるようになっているものがある。このようなものでは照明器具の設置時に各照明器具に対してアドレスを設定する必要が有る。この場合に、このリモートコントローラを使用すれば、照明器具にスポットライトを当てることで該当する照明器具に該当するアドレスを確実に設定することができる。
【００２１】
また、この実施の形態は、被制御対象として照明器具を使用した場合について述べたが必ずしもこれに限定するものではなく、例えば、空調装置やテレビなどを使用した場合にも適用できるものである。
【００２２】
【発明の効果】以上、本発明によれば、制御したい被制御対象を確実にリモート制御でき、しかも構成が簡単で安価なリモートコントローラを提供できる。
また、本発明によれば、赤外線によるリモート制御範囲と可視光の照明範囲を略等しくしているので、制御したい被制御対象のみをより確実にリモート制御することができるリモートコントローラを提供できる。
また、本発明によれば、照明器具をリモートコントローラによって確実にリモート制御することができる照明装置を提供できる。
【図面の簡単な説明】
【図１】本発明の一実施の形態を示す斜視図。
【図２】同実施の形態における照明器具のブロック図。
【図３】同実施の形態におけるリモートコントローラのブロック図。
【符号の説明】２…照明器具、３…リモートコントローラ、３２…赤外線発振器、３３…スポットライト発行器、３４…制御部、３５…点灯回路。
【図１】
2004193971.tif 000003
【図２】
2004193971.tif 000004
【図３】
2004193971.tif 000005